(57)【要約】【課題】ストラップを傷めず、ストラップ取付構造が組み付けられる装置本体の大きさに影響を与えず、さらには外観の見栄えの良いストラップ取付構造とする。【解決手段】ストラップの端部４２ａが巻き付けられる棒形状部４１ａが略中央を横断するようにして形成された開口部４１ｂを有するストラップ取付部材を備え、円弧状の凹み部４３ａをもつインナー部材４３の該凹み部の縁部４３ｂを、ストラップ取付部材の背面側より開口部に嵌め込むことで、凹み部および開口部が、ストラップの端部を棒形状部の下をもぐるようにして開口部の一方から他方へ案内する連通穴を形成し、凹み部の縁部が、開口部の一方のストラップ挿入口および他方の挿出口にあるエッジ部４１ｋ，４１ｌをフラットな面にしている。【選択図】図４
2006084653.tif 000002
【特許請求の範囲】
【請求項１】
ストラップの端部が巻き付けられる棒形状部が略中央を横断するようにして形成された開口部を有する板状のストラップ取付部材を備えたストラップ取付構造であって、
半球または円弧状の凹み部をもつインナー部材の該凹み部の縁部を、前記ストラップ取付部材の背面側より前記開口部に嵌め込むことで、前記凹み部および前記開口部が、前記ストラップの端部を前記棒形状部の下をもぐるようにして前記開口部の一方から他方へ案内する連通穴を形成し、前記凹み部の縁部が、前記開口部の一方のストラップ挿入口および他方の挿出口にあるエッジ部をフラットな面にすることを特徴とするストラップ取付構造。
【請求項２】
前記ストラップ取付部材は、当該ストラップ取付構造が適用される装置本体への取付穴をもち、該取付穴が、前記ストラップ取付部材の前記棒形状部の略延長上に穿孔されていることを特徴とする請求項１に記載のストラップ取付構造。
【請求項３】
前記ストラップ取付部材は、該ストラップ取付部材の端部に延設された爪部が前記装置本体の複数に分割された本体カバーによって上方から押さえ付けられた状態で、前記取付穴を利用して前記装置本体に取り付けられることを特徴とする請求項２に記載のストラップ取付構造。
【請求項４】
請求項１乃至３のいずれかに記載のストラップ取付構造をもつことを特徴とする撮像装置。
【発明の詳細な説明】
【技術分野】
【０００１】
本発明は、電子機器を吊り下げて携帯する際に使用されるストラップを取り付けるためのストラップ取付構造およびこのストラップ取付構造を有する撮像装置に関する。
【背景技術】
【０００２】
デジタルカメラ等、携帯することが可能な小型の電子機器においては、吊り下げ用のストラップ（紐）を取り付けることを可能にしたものが多くあり、ストラップを首や手首等にかけて携帯することにより、携帯性の向上や脱落防止に役立っている。
【０００３】
上記ストラップの形態は各種のものがあるが、簡便なものとしては、太い紐の先端に細い紐を環状に取り付け、細紐部を本体に掛け止めるようになっている物が小型の携帯機器に用いられている。また、電子機器本体のストラップを取り付けるための取付構造にも各種あり、特許文献１に示すように、細紐部を電子機器本体に開けられた通し穴に通したり、特許文献２に示すように、環状のストラップ取付部材に通したりするものがある。
【特許文献１】特開平８−６２７１９号公報（図１参照）
【特許文献２】特開平１１−２６１８５８号公報（図３、図１４参照）
【発明の開示】
【発明が解決しようとする課題】
【０００４】
ところで、特許文献１に示す通し穴の場合、金属カバーは一般的に薄いためにカバーのみではストラップを引っ張る力に抗することができないため、ストラップを掛けるための内部の部材を必要とする。従って、カバーと内部部材の位置合わせが必要であり、また、カバー側の開口部の大きさを大きく作ることの必要性から段差が見えて見栄えが悪い。
【０００５】
そこで、このカバーをダイキャストなどの金属で作成することが考えられるが、金属のみで作成した場合、ある程度の厚みが必要になるか、特許文献２に示すような環状の部材を設ける必要があるが、エッジや型合わせ部でのバリによってストラップを切ってしまうといった虞があった。また、特許文献２に示すような環状のストラップ取付部材を設けた場合、本体からの飛び出しが大きくなり、小型化という面で不利であった。
【０００６】
さらには、ダイキャストなどの金属で作成されたカバーを本体にねじ止めした場合、そのままではねじが緩んだ際に電子機器本体が脱落する問題もあった。
【０００７】
（発明の目的）
本発明の第１の目的は、ストラップを傷めず、当該ストラップ取付構造が組み付けられる装置本体の大きさに影響を与えず、さらには外観の見栄えの良いストラップ取付構造および撮像装置を提供しようとするものである。
【０００８】
本発明の第２の目的は、ストラップにより引かれる力を効率的に装置本体に伝えることができるストラップ取付構造および撮像装置を提供しようとするものである。
【０００９】
本発明の第３の目的は、装置本体が外れて脱落してしまうことのないストラップ取付構造および撮像装置を提供しようとするものである。
【課題を解決するための手段】
【００１０】
上記第１の目的を達成するために、請求項１に記載の発明は、ストラップの端部が巻き付けられる棒形状部が略中央を横断するようにして形成された開口部を有する板状のストラップ取付部材を備えたストラップ取付構造であって、半球または円弧状の凹み部をもつインナー部材の該凹み部の縁部を、前記ストラップ取付部材の背面側より前記開口部に嵌め込むことで、前記凹み部および前記開口部が、前記ストラップの端部を前記棒形状部の下をもぐるようにして前記開口部の一方から他方へ案内する連通穴を形成し、前記凹み部の縁部が、前記開口部の一方のストラップ挿入口および他方の挿出口にあるエッジ部をフラットな面にするストラップ取付構造とするものである。
【００１１】
また、上記第２の目的を達成するために、請求項２に記載の発明は、前記ストラップ取付部材が、当該ストラップ取付構造が適用される装置本体への取付穴をもち、該取付穴が、前記ストラップ取付部材の前記棒形状部の略延長上に穿孔されている請求項１に記載のストラップ取付構造とするものである。
【００１２】
また、上記第３の目的を達成するために、請求項３に記載の発明は、ストラップ取付部材が、該ストラップ取付部材の端部に延設された爪部が装置本体の複数に分割された本体カバーによって上方から押さえ付けられた状態で、取付穴を利用して前記装置本体に取り付けられる請求項２に記載のストラップ取付構造とするものである。
【００１３】
また、上記第１乃至第３の目的を達成するために、請求項４に記載の発明は、請求項１乃至３のいずれかに記載のストラップ取付構造をもつ撮像装置とするものである。
【発明の効果】
【００１４】
請求項１または４に記載の発明によれば、ストラップを傷めず、当該ストラップ取付構造が組み付けられる装置本体の大きさに影響を与えず、さらには外観の見栄えの良いストラップ取付構造または撮像装置を提供できるものである。
【００１５】
請求項２または４に記載の発明によれば、ストラップにより引かれる力を効率的に装置本体に伝えることができるストラップ取付構造または撮像装置を提供できるものである。
【００１６】
請求項３または４に記載の発明は、装置本体が外れて脱落してしまうことのないストラップ取付構造または撮像装置を提供できるものである。
【発明を実施するための最良の形態】
【００１７】
以下の実施例に示す通りである。
【実施例】
【００１８】
図１および図２は本発明の一実施例に係わるカメラを正面側および背面側より見て示す分解斜視図である。これらの図において、１はカメラの正面側を覆うフロントカバー、２は裏側を覆うリアカバーである。３は撮影レンズ等を保持する鏡筒ユニットであり、ファインダユニット４、鏡筒を駆動させるためのズームモータ５およびギアユニット６が一体的に組み付けられおり、固定ねじ７ａ，７ｂ，７ｃによりベース部材８に固定される。９は電池５１を保持するための電池ケースであり、電源基板ユニット１０を挟んでねじ１１ａおよび１１ｂによってベース部材８に固定される。
【００１９】
１２はストロボ発光部１３が上部に配されたストロボユニットであり、下方に伸びたフレーム部分にストロボ回路を実装したストロボ用フレキシブル基板１４が貼り付けられるとともに、ストロボ用コンデンサ１５が固定されている。そしてこのストロボユニット１２は、鏡筒ユニット３に組み付けられたギアユニット６およびズームモータ５の前面に配され、側面よりビス１６によりベース部材８に固定されている。この際、ストロボ発光部１３の幅はその後部に配置されている前記ギアユニット６およびズームモータ５を合わせた幅と略同一としているため、これらがスペースの無駄なく配置されている。
【００２０】
１７は、ＣＰＵやメモリ、画像処理ＬＳＩ等が実装されたメイン基板であり、背面に外部メモリであるＳＤメモリカード１７ｂのスロット１７ａおよびＵＳＢコネクタ１７ｃが実装されており、ねじ１８ａ，１８ｂ，１８ｃによって電池ケース９およびベース部材８にねじ止めされる。１９は、レリーズスイッチ、電源スイッチ等を実装した操作用フレキシブル基板である。２０はスピーカーであり、その端子部には操作用フレキシブル基板１９の一端が半田付けされている。
【００２１】
２１はシリコンゴムで作成された操作ボタンベース部材であり、十字キー２２、センタキー２３、押しボタン２４，２５等の操作ボタンが貼り付けられている。そしてこの操作ボタンベース部材２１は、背面に該操作ボタンベース部材２１に貼り付けられた上記各ボタン類に対応する位置に、ドーム状の金属の皿（メタルドーム）が貼り付けられていて、各操作ボタンを押すとメタルドームが上記操作用フレキシブル基板１９上のパターンに接触して通電するように構成されている。また、操作ボタンベース部材２１は、その一部２１ａがスピーカー２０の縁を覆うように構成されており、スピーカー２０とリアカバー２の隙間を塞ぐ緩衝材の役目を果たしている。これにより、従来スピーカー上部に貼り付けられ、音漏れの防止などの役割を果たしていたウレタンフォームなどの緩衝部材を省略することが可能となった。
【００２２】
２６はその中心部に導光部材２７が貼り付けられた発光ボタンであり、他の押しボタンが配された操作用フレキシブル基板１９より奥に配置された電源基板ユニット１０上に実装されたタクトスイッチ１０ａを導光部材２７によって押すように構成されている。そしてタクトスイッチ１０ａの横にはＬＥＤ１０ｂが配されており、導光部材２７を通してＬＥＤ１０ｂから発せられた光が発光ボタン２６の表面に導かれる。発光ボタン２６はそのベース部分がねじ２８によってベース部材８に固定される。
【００２３】
２９はＬＣＤパネルであり、不図示のバックライトとともにＬＣＤホルダー３０に保持されている。ＬＣＤホルダー３０は、ねじ３１によってベース部材８に固定される。３２はカメラの動作モードを切り換えるモード切換えボタンであり、図２中、略左右に動かすことで静止画撮影、動画撮影、画像再生に切り換え可能である。このモード切換えボタン３２は、背面の固定板３３とともにリアカバー２を挟み込むことで左右に移動を可能とするように構成されるとともに、切り欠き部３３ａが操作用フレキシブル基板１９上に実装されたモード切換えボタン３２の腕部を加えることでスイッチ部を切り換え可能に構成されている。
【００２４】
３４は、ズームダイアル３５、レリーズボタン３６、パワーボタン３７を保持するボタン保持部材であり、電池ケース９の上面に操作用フレキシブル基板１９を挟んで配置される。また、ボタン保持部材３４は、その側部にＵＳＢコネクタ１７ｃおよび映像と音声のジャックが収納されるジャック収納部を有するとともに、それらをカバーするためのジャックカバー３８が引き出し可能なように配されている。
【００２５】
４１はストラップ４２が取り付けられる表面がＲ面をした長方形状のストラップ取付部材であり、強度とデザイン上の観点からダイキャストにより成型されている。このストラップ取付部材４１は、ストラップ４２の環状の細紐の先端部４２ａが巻き付けられる断面が半円形状をした棒状（図３および図４参照）をした棒形状部４１ａが略中央を横断するようにして形成された開口部４１ｂを有している。また、ストラップ取付部材４１には、このストラップ取付部材４１をべース部材８にねじ４４ａ，４４ｂによって取り付ける際に用いられるねじ穴４１ｍ，４１ｎが、上記棒形状部４１ａの略延長上に穿孔されている。これにより、ストラップ４２にてストラップ取付部材４１を引っ張る力を効率的にカメラ本体に伝えることが可能となる。ストラップ取付部材４１には、図３に示すように、さらに両端のそれぞれ３箇所に爪部４１ｅ，４１ｆ，４１ｇ，４１ｈ，４１ｉ，４１ｊが延設されており、このストラップ取付部材４１がベース部材８に取り付けられる後に、フロントカバー１およびリアカバー２により上記爪部４１ｆｅ〜４１ｊが上から押さえ込まれるようにして固定される。したがって、ストラップ取付部材４１がフロントカバー１およびリアカバー２によって両端の爪部４１ｆｅ〜４１ｊが固定されている状態であるので、上記ねじ４４ａ，４４ｂが緩んだとしてもカメラ本体が脱落してしまうことがない。
【００２６】
４３は円弧状（または半球でもよい）の凹み部４３ａ（図２および図４参照）をもつインナー部材であり、凹み部４３ａの縁部４３ｂがストラップ取付部材４１の背面側（図４の下から上の方向）より開口部４１ｂに嵌め込まれる。インナー部材４３がストラップ取付部材４１に嵌め込まれた際、凹み部４３ａおよび開口部４１ｂが、ストラップ４２の先端部４２ａを棒形状部４１ａの下をもぐるようにして開口部４１ｂの一方から他方へ案内する連通穴（図４参照）を形成する。またこの際、凹み部４３ａの縁部が開口部４１ｂに嵌め込まれることで、図４に示すように、上記凹み部４３ａの縁部４３ｂが開口部４１ｂの一方のストラップ挿入口および他方の挿出口にあるエッジ部４１ｋ，４１ｌをフラットな面にして、ストラップ４２が開口部４１ｂのエッジ部４１ｋ，４１ｌで傷ついたりすることを防いでいる。４５は三脚取り付け用のねじが切られた三脚取り付け座である。
【００２７】
ここで、インナー部材４３がストラップ取付部材４１に嵌め込まれた状態において、ストラップ４２をストラップ取付部材４１に取り付ける際の作業を簡単に説明する。
【００２８】
ストラップ４２の環状の先端部４２ａを、棒形状部４１ａをもぐるようにして開口部４１ｂおよび凹み部４３ａにより形成された連通穴の一方から他方へ通す。この際、凹み部４３ａが円弧形状をしているので、ストラップ４２の先端部４２ａをスムーズに通すことができる。また、上記のように凹み部４３ａの縁部４３ｂが開口部４１ｂのエッジ部４１ｋ，４１ｌをフラットな面にしているので、ストラップ４２が開口部４１ｂのエッジ部４１ｋ，４１ｌで傷ついたり、指等がエッジに触れて怪我をしたりすることを防いでいる。上記連通穴にストラップ４２の先端部４２ａを通した後は、先端部４２ａの環状の穴内にストラップ４２の後端部をくぐらせ、そして後端部を引っ張る。これにより、図２および図３に示すように、ストラップ４２の先端部４２ａが棒形状部４１ａに巻き付き、ストラップ４２がストラップ取付部材４１に取り付けられた状態となる。
【００２９】
上記実施例によれば、ストラップ取付構造を、棒形状部４１ａが略中央を横断するようにして形成された開口部４１ｂを有するダイキャストなどの金属製の板状のストラップ取付部材４１に対し、凹み部４３ａをもつインナー部材４３をストラップ取付部材４１の背面側より嵌め込んだ構造としている。そして、インナー部材４３がストラップ取付部材４１に嵌め込まれることで、凹み部４３ａおよび開口部４１ｂが、ストラップ４２の先端部４２ａを上記棒形状部４１ａの下をもぐるようにして開口部４１ｂの一方から他方へ案内する連通穴を形成し、また、凹み部４３ａの縁部４３ｂが開口部４１ｂに嵌め込まれることで、凹み部４３ａの縁部４３ｂが、開口部の一方のストラップ挿入口および他方の挿出口にあるエッジ部をフラットな面にする構造にしている。
【００３０】
よって、ストラップ取付部材４１に取り付けられるストラップ４２を傷めず、外観の見栄えの良いストラップ取付構造およびこのストラップ取付構造を有するカメラとすることができる。また、特許文献２に開示されるもののようにカメラ本体から飛び出した構造をしていないので、このストラップ取付構造が組み付けられるカメラ本体の大きさに影響を与えることもない。
【００３１】
また、ストラップ取付部材４１にはベース部材８への取付穴４１ｍ，４１ｎをもち、この取付穴４１ｍ，４１ｎがストラップ取付部材４１の棒形状部４１ａの略延長上に穿孔されているので、ストラップ取付部材４１に加わるストラップ４２の引っ張り力を効率的にカメラ本体に伝えることができる。
【００３２】
また、ストラップ取付部材４１には爪部４１ｅ〜４１ｊが延設されており、このストラップ取付部材４１がカメラ本体に組み込まれた際には上記爪部４１ｅ〜４１ｊがフロントカバー１およびリアカバー２により上方から押さえ付けられるように構成されているので、ストラップ取付部材４１の取り付け用のねじ４４ａ，４４ｂが緩んで外れたとしても、ストラップ取付部材４１がカメラ本体より外れることがなく、カメラの落下事故の防止することができる。
【００３３】
また、インナー部材４３は円弧状もしくは半球状の凹み部４３ａを有しているので、ストラップ４２をストラップ取付部材４１に取り付ける際にスムーズに棒形状部４１ａもぐらせることができる。
【図面の簡単な説明】
【００３４】
【図１】本発明の一実施例に係わるカメラの正面側から見て示す分解斜視図である。
【図２】本発明の一実施例に係わるカメラの背面側から見て示す分解斜視図である。
【図３】図1のカメラに適用されるストラップ、ストラップ取付部材およびインナー部材の関係を示した図である。
【図４】図３のストラップ取付部材およびインナー部材を示す断面図である。
【符号の説明】
【００３５】
１              フロントカバー
２              リアカバー
８              ベース部材
４１            ストラップ取付部材
４１ａ          棒形状部
４１ｂ          開口部
４１ｅ〜４１ｊ  爪部
４１ｍ，４１ｎ  取付穴
４２            ストラップ
４２ａ          先端部
４３            インナー部材
４３ａ          凹み部
４３ｂ          縁部
４４ａ，４４ｂ  ストラップ取付部材の取り付け用のねじ
【図１】
2006084653.tif 000003
【図２】
2006084653.tif 000004
【図３】
2006084653.tif 000005
【図４】
2006084653.tif 000006